(57)【要約】  照明タイル（２）内において、複数のＬＥＤ（８）がモジュール（６）に接続され、モジュール（６）は２線式バス（１０）を使用して相互接続されている。このバス（１０）は、モジュール（６）を、従ってＬＥＤ（８）を駆動するための電力及び制御情報の両者を伝送する。このバス（１０）によって配線要求が減少し、中央コントローラ（４）による種々の照明効果が可能になる。【選択図】図１
2009543279.tif 000002
【特許請求の範囲】
【請求項１】
照明デバイスであって、
少なくとも１つの光源を有する少なくとも１つのモジュールを制御する少なくとも１つのコントローラと、
上記コントローラと上記モジュールとの間の電気接続と、を含み、
上記電気接続が、上記コントローラと上記モジュールとの間で電力供給及び制御情報の両者を伝送する、
ことを特徴とする照明デバイス。
【請求項２】
上記電気接続はバスであることを特徴とする請求項１に記載の照明デバイス。
【請求項３】
上記モジュールの少なくとも２つが、上記電気接続に並列に接続されていることを特徴とする請求項１に記載の照明デバイス。
【請求項４】
上記電気接続は、制御情報を、上記コントローラから上記モジュールへ、及びその逆に転送するように双方向性であることを特徴とする請求項１に記載の照明デバイス。
【請求項５】
上記制御情報は、高周波信号内に供給され、
Ａ）周波数変調、
Ｂ）振幅変調、
Ｃ）位相変調、
Ｄ）パルス変調、
Ｅ）負荷変調、
Ｆ）デジタル変調、
またはこれらの何れかの組合せ、
の少なくとも１つを用いて変調されていることを特徴とする請求項１に記載の照明デバイス。
【請求項６】
上記モジュールは、正確に１つの光源を備えていることを特徴とする請求項１に記載の照明デバイス。
【請求項７】
上記光源は、
Ａ）発光ダイオード、
Ｂ）有機発光ダイオード、
Ｃ）薄膜トランジスタ、
の少なくとも１つであることを特徴とする請求項１に記載の照明デバイス。
【請求項８】
上記モジュールは、上記電気接続上の上記電力供給を上記光源に適した信号に変換する変換器を含むことを特徴とする請求項１に記載の照明デバイス。
【請求項９】
上記コントローラは、複数の照明デバイスのアレイ内においてマスターコントローラまたはスレーブコントローラの何れかに適合可能であることを特徴とする請求項１に記載の照明デバイス。
【請求項１０】
請求項１に記載の照明デバイスを少なくとも２つ含む照明システムであって、１つの中央デバイスが、少なくとも１つの他のコントローラを制御するためのマスターコントローラとして構成されていることを特徴とする照明システム。
【請求項１１】
請求項１０に記載の照明システムを有することを特徴とする大面積照明タイル。
【請求項１２】
照明デバイスを制御する方法であって、
少なくとも１つのコントローラから少なくとも１つのモジュールへ、上記少なくとも１つのコントローラと上記少なくとも１つのモジュールとの間の１つの共通電気接続を使用して、制御情報及び電力供給を供給するステップと、
上記制御情報に従って少なくとも１つの光源を駆動するステップと、
を含むことを特徴とする方法。
【請求項１３】
上記共通電気接続上で上記制御情報を双方向に供給するステップを更に含むことを特徴とする請求項１２に記載の方法。
【請求項１４】
上記制御情報内に、上記モジュールのためのアドレス指定情報及び動作情報を含めるステップを更に含むことを特徴とする請求項１２に記載の方法。
【請求項１５】
情報キャリヤ内に明白に実現されているコンピュータプログラムプロダクトであって、
上記コンピュータプログラムプロダクトは命令を含み、上記命令は、実行された時に少なくとも１つのプロセッサに、
少なくとも１つのコントローラから少なくとも１つのモジュールへ、上記少なくとも１つのコントローラと上記少なくとも１つのモジュールとの間の１つの共通電気接続を使用して、制御情報及び電力供給を供給するステップと、
上記制御情報に従って少なくとも１つの光源を駆動するステップと、
を遂行させることを特徴とするコンピュータプログラムプロダクト。
【請求項１６】
コンピュータプログラムであって、
上記コンピュータプログラムは命令を含み、上記命令は、実行された時に少なくとも１つのプロセッサに、
少なくとも１つのコントローラから少なくとも１つのモジュールへ、上記少なくとも１つのコントローラと上記少なくとも１つのモジュールとの間の１つの共通電気接続を使用して、制御情報及び電力供給を供給するステップと、
上記制御情報に従って少なくとも１つの光源を駆動するステップと、
を遂行させることを特徴とするコンピュータプログラム。
【発明の詳細な説明】
【技術分野】
【０００１】
本発明は、照明デバイスの分野に関する。
【背景技術】
【０００２】
US 2005 / 0134525 A1は、モジュール式の、タイル化された大画面放射ディスプレイを制御する方法を開示している。この引例では、有機発光ダイオード（ＯＬＥＤ）のような複数の放射デバイスが、複数の第１サブディビジョン内に構成されている。各第１サブディビジョンでは、放射デバイスは、各第１サブディビジョンが第１サブディビジョン目標値に対して最適化されるように設定される。放射デバイスを設定した後に、第１サブディビジョンは、放射ディスプレイが放射ディスプレイ目標値に対して最適化されるように設定される。このように、複数の第２サブディビジョンにグループ化することができる複数の第１サブディビジョンを有するタイル化された大画面放射ディスプレイの制御が提唱されている。
【０００３】
【特許文献１】米国特許出願公開第２００５／０１３４５２５号明細書
【０００４】
図示されている制御システムは、それらを物理的にアセンブルする際に、及び動作中に、放射ディスプレイシステムを初期化し、構成する動作を遂行する。放射ディスプレイタイルは、均一なイメージ表示及び適切なイメージサイズのためにアドレスし、制御することができる。放射デバイスを駆動するために、各サブディビジョンに電力信号が供給される。電力ラインとは別に、１つの行内の全てのサブディビジョンに分配されるデータイン（ＤＡＴＡ  ＩＮ）信号が供給される。各サブディビジョンは、ディスプレイ上に表示される現ビデオフレーム情報を含むビデオデータ信号を受けるためのデータ入力コネクタを有している。
【発明の開示】
【発明が解決しようとする課題】
【０００５】
上記引例は、各光源が電力ライン及びデータラインから別々に供給されることから、配線構造が複雑であるという欠陥を呈することが分かった。これは、制御回路を複雑にし、これらデバイスのコストを増加させることになる。
【０００６】
従って、配線要求を少なくさせた照明デバイスが得られれば有利であろう。
【課題を解決するための手段】
【０００７】
配線要求が少ない照明デバイスを提供するために、本発明の適用の第１の面では、少なくとも１つの光源を有する少なくとも１つのモジュールを制御する少なくとも１つのコントローラと、コントローラとモジュールとの間の電気接続と、を含むイメージ照明デバイスが提供され、電気接続は、上記コントローラと上記モジュールとの間で電力及び制御情報を伝送する。単一の電気接続内に電力及び制御の両方を供給することによって配線要求が減少し、従って照明デバイスのコスト及び複雑さが減少する。
【０００８】
実施の形態によれば、電気接続はバスである。このバスは、全てのモジュールを接続するための電気接続であることができる。制御情報は、バスを介して全てのモジュールに並列に、及び直列に供給することができる。バスは、照明デバイスを拡張縮小することを可能にする。即ち、例えば照明面積のサイズを増加させるために、如何なる数のモジュールをもデバイスに追加することができる。バスは例えば２線式バスであることができ、従って、配線要求を更に減少させることができる。この場合、バスを介して制御情報を直列に供給することも、またバスを介してモジュールを並列に接続することも可能である。
【０００９】
実施の形態によれば、電気接続へのモジュールの並列接続が好ましい。電気接続に接続された光源の数及び型に依存して、電力消費が変化し得る。異なる電力消費に対しては、電気接続上に供給する電力を増減させることによって対処することができる。各々が電気接続に異なる電力を供給する異なる型のコントローラを設けることができ、従って、電気接続上にモジュールを種々に構成することができる。
【００１０】
モジュールを監視し、制御するために、実施の形態は、電気接続を双方向接続にしてある。これは、制御情報をコントローラからモジュールへ、及びモジュールからコントローラへ転送するためである。従って、コントローラは各モジュールのステータスを監視することができ、それらの動作を制御することができる。これは、照明デバイスの柔軟性を増加させる。
【００１１】
実施の形態では、高周波数信号を制御情報で変調して電気接続上に供給する。好ましい変調は、周波数変調（ＦＭ）、振幅変調（ＡＭ）、パルス変調（ＰＭ）、負荷（ロード）変調、またはデジタル変調であることができる。オン／オフ、より暗く／より明るく、カラー等のような制御情報は、低エントロピーを有する情報であることができる。従って、低レベル変調アルゴリズムを適用することができる。例えば、振幅変調、及び、負荷変調、周波数変調、位相変調、並びにそれらの組合せを適用することができる。更に、デジタル変調技術を使用することができる。
【００１２】
柔軟性を増加させるために、実施の形態では、１つの光源だけを含むモジュールを提供する。この場合、柔軟性を増加させるために、各単一の光源を個々にアドレスし、制御することができる。
【００１３】
実施の形態は光源を提供する。これらは、発光ダイオード（ＬＥＤ）、有機発光ダイオード（ＯＬＥＤ）、または薄膜トランジスタ（ＴＦＴ）の少なくとも１つである。これらの光源は、低電力消費で明度をもたらすので大面積照明デバイスに良く適している。更に、これらの光源内の電力損失は低く、加熱制約は適用しなくてよい。他の型の光源も適しており、本発明の適用の範囲内にある。
【００１４】
実施の形態によれば、モジュールは、ＬＥＤまたは他の型のランプのような単一の、または複数の光源（少なくとも２つ）を含むことができる。例えば、モジュールは、３つまたは４つのＬＥＤを含み、従って、ディスプレイ内にピクセルを構成することができる。これらＬＥＤは異なるカラーを有することができ、従って、ＬＥＤのカラースペクトル内の如何なるカラーを有する光をも作ることが可能である。この場合、モジュール内の各ＬＥＤには専用駆動回路を設けることが可能である。モジュール内に１つより多くの光源を設けることによって、光源の強さ並びにカラーを調整することができる。
【００１５】
光源の使用に柔軟性を与えるために、実施の形態では、モジュールは電気接続上の電力供給を光源に適した信号に変換するためのコンバータを含んでいる。異なる光源は異なる電力供給を要求するが、上記コンバータを使用することによってこれに対処することができる。
【００１６】
照明デバイスに拡張縮小性を与えるために、即ち、大面積照明アセンブリ（即ち、照明デバイスからなる複数の照明タイルを有する）内の照明デバイスの数を増加させるために、実施の形態ではコントローラは、マスターコントローラ、またはスレーブコントローラの何れかに適合可能なコントローラである。照明デバイス内のコントローラは、大面積照明アセンブリの一部であることができる。システム内に１つより多くの照明タイルが使用されている場合には、即ち、室、建物、自動車内の光壁等のような大面積アセンブリを構築する場合には、複数のコントローラの中でマスターコントローラとして動作する１つが、スレーブコントローラとして動作する他のコントローラの制御に取って代わることができる。従って、マスターコントローラが照明アセンブリを制御することができる。
【００１７】
照明タイル内では、複数のＬＥＤはモジュールに接続されており、２線式バスを使用して相互接続することができる。このバスは、モジュール（従って、光源）を駆動するための電力並びに制御情報の両者を伝送することができる。このバスは、配線要求を減少させ、中央コントローラを通して種々の照明効果を可能にする。
【００１８】
本発明の別の面は照明システムであり、この照明システムは、少なくとも２つの上述した照明デバイスを含み、１つの中央コントローラは少なくとも１つの他のコントローラを制御するマスターコントローラとして構成される。このシステムは、大面積照明システム内の照明デバイスを制御することができる。システムコントローラ及びスレーブコントローラは、有線または無線接続を介して接続することができる。マスターコントローラとスレーブコントローラとの間の通信は、ブルートゥース（登録商標）、ホームＲＦ、ＷＬＡＮ、ニアフィールド通信（ＮＦＣ）、またはＩＳＭ周波数帯域に基づく他のプロトコルのような短距離無線通信プロトコルを使用することができる。
【００１９】
本発明の別の面は、上述したような照明システムを有する大面積照明タイルである。
【００２０】
本発明のさらなる面は照明デバイスを制御する方法であって、少なくとも１つのコントローラと少なくとも１つのモジュールとの間の１つの共通電気接続を使用して少なくとも１つのコントローラから少なくとも１つのモジュールへ制御情報及び電力を供給するステップと、制御情報に従って少なくとも１つの光源を駆動するステップとを含む。
【００２１】
これは、電力及び制御情報の両者が共通の電気接続を使用して供給されるので、光源を駆動する上での複雑さを少なくする。
【００２２】
その光源に特定の情報は、１つの共通電気接続を使用してモジュールからコントローラへ供給することができる。この場合、この共通電気接続は双方向式である。これは、実施の形態により設けられる。各モジュールは、その光源に特定の情報をコントローラへ能動的に、または要求に応じて受動的に伝送することができる。温度、光スペクトル、寿命等のような光源情報は、モジュール内のセンサーによって検出し、測定することができ、関連データは、もし必要ならば、モジュール内に格納することができる。モジュール内の各光源のスペクトル情報を別々に測定することができる。更に、１つのモジュール内の全ての光源の混合光のスペクトル情報を測定することができる。更に、光源内を通る電流または電圧を測定することができる。要求があった時には、若干のサイクルの後に、またはランダムに、収集した情報を共通の電気接続を使用してコントローラへ通信することができる。これにより、光出力（明度）及び／またはカラー（スペクトル）を調整することができ、更に、光源を微調整する（即ち、製造公差を斟酌する）ことができる。
【００２３】
モジュールをアドレス指定して制御情報を供給するために、実施の形態では、モジュールのためのアドレス指定情報及び動作情報を制御情報内に含める。アドレス指定情報は各単一モジュールに独自であることができ、従って、システム内の複数のモジュールの中から１つのモジュールを正確にアドレスすることができる。モジュールの光出力を制御するために、光源の所望の条件を規定する動作情報（例えばコマンド）を転送することができる。動作情報並びにアドレス指定情報は、それぞれの情報の必要性に最適のアルゴリズムに従ってコード化することができる。各モジュールを個々にアドレスすることによって、各モジュールの動作をコントローラから個々に制御することができる。
【００２４】
本発明の別の面は、情報キャリヤ内に明確に実現されているコンピュータプログラムであり、このコンピュータプログラムプロダクトは命令を含んでいる。これらの命令は、実行された時に、少なくとも１つのコントローラと少なくとも１つのモジュールとの間の１つの共通の電気接続を使用して少なくとも１つのコントローラから少なくとも１つのモジュールへ制御情報及び電力を供給し、少なくとも１つのプロセッサに制御情報に従って少なくとも１つの光源を駆動する動作を遂行させる。
【００２５】
本発明のさらなる面は、命令を含むコンピュータプログラムである。これらの命令は、実行された時に、少なくとも１つのコントローラと少なくとも１つのモジュールとの間の１つの共通の電気接続を使用して少なくとも１つのコントローラから少なくとも１つのモジュールへ制御情報及び電力を供給し、少なくとも１つのプロセッサに制御情報に従って少なくとも１つの光源を駆動する動作を遂行させる。
【００２６】
本発明のこれらの、及び他の面は、以下の添付図面に基づく説明から明白になるであろう。
【発明を実施するための最良の形態】
【００２７】
図１は、大面積光タイルと理解することができる照明デバイス２の概要図である。照明デバイス２は、コントローラ４、モジュール６、光源８、及びモジュール６の間のバスとして配列されている電気接続１０を含む。コントローラ４には、電力コネクタ１２及びユーザインタフェースコネクタ１４が設けられている。
【００２８】
各照明デバイス２は、電力コネクタ１２を通して主電源に接続することができる。これは、220Ｖまたは110Ｖ電源であることができる。更に、自動車から、またはモバイルデバイスからのように電池の使用も可能である。図示した照明デバイス２は９つの光源８を含むことができ、それらはそれらの対応するモジュール６によって駆動される。モジュール６は、バス１０に並列に接続される。直列接続も可能である。バス１０に接続されるモジュール６の数は顧客の要望に従って、及び配列のサイズに依存して変化させることができる。バス１０に接続されているモジュール６の数に依存して、入力電力を増減させる必要がある。モジュール６及び光源８に動作電力を供給するために、電力コネクタ１２には直流（ＤＣ）、または交流（ＡＣ）、または何等かのパルス化されたＤＣまたはＡＣ波形を供給することができる。モジュール６及び光源８の電力消費は変化し得る。また総合電力消費は、バス１０に接続されているモジュールの数に依存し得る。従って、バス１０に異なる電力（数Ｗから数ｋＷまで）を供給することが可能な異なるコントローラ４を設けることができる。
【００２９】
電源は照明デバイス２の一部であることも、または外部電源から供給することもできる。大電力照明デバイス２の場合、大電力を供給する変成器に対する要望が存在する。変成器を照明デバイス２内に実装することは実際的ではないであろう。従って、電源を照明デバイス２の外側に配列することができる。小電力照明デバイス２の場合、電源を照明デバイス２と統合することができる。バス１０は、例えば印刷回路基板上の１本の信号ラインと、共通接地電極とを有するように配列することができる。これは、パッケージ密度を増加させ、照明デバイス２のサイズを減少させる。
【００３０】
電力コネクタ１２を通して駆動電力をモジュール６に給電し、光源８を動作させることができる。電力に加えて、コントローラ４は、例えば高周波数信号によって制御情報をバス１０上に供給する。これは、バス１０上に既に存在している電力信号上で変調することができる。この制御情報は、アナログまたはデジタル変調を使用してバス１０上に変調することができる。
【００３１】
バス１０上の変調された制御情報は、アドレス指定情報並びに動作情報を含むことができる。アドレス指定情報は、各モジュール６を独自に識別する独特の識別子であることができる。これにより、各モジュール６を互いに独立的にアドレス指定することが可能になる。アドレス指定情報の他に、動作情報をバス１０上に変調することができる。動作情報は、例えば、光源８のオン／オフ、明るさ、カラー、及び他のパラメータを制御するためのコマンドを含むことができる。更に、これらのコマンドは、コントローラ４からそれぞれのモジュール６への要求を含むことができる。これらの要求は、例えば、光源８の寿命、温度、明るさ、及び他の情報のような光源８に関するパラメータをフィードバックする要求からなることができる。アドレス指定情報及び動作情報の両者は、特定のコーディングアルゴリズムに従ってコード化することができる。
【００３２】
コントローラ４及びモジュール６の動作を調整するために、ユーザが好みを調整し、コントローラ４を制御することを可能にするユーザインタフェースコネクタ１４が設けられている。ユーザインタフェースコネクタ１４は、有線または無線であることができる。即ち、シリアルインタフェース、パラレルインタフェース、またはＵＳＢインタフェース、並びにＷＬＡＮ、ブルートゥース（登録商標）、ホームＲＦ、ニアフィールド通信（ＮＦＣ）、及び他の何等かのインタフェースであることができる。ユーザインタフェースコネクタ１４は、赤外線を使用する光インタフェースであることもできる。適当な入力デバイス１４ａを使用することによって、ユーザ情報をコントローラ４へ送ってコントローラの設定を調整することができる。照明デバイス２のステータス、特に照明デバイス２内のそれぞれのモジュール６に関するステータスをコンピュータによって処理し、スクリーン上に表示させるために、ユーザインタフェースコネクタ１４上にフィードバックすることができる。
【００３３】
以下に、図２を参照してコントローラ４をより詳細に説明する。図２に示すコントローラ４は、電力コネクタ１２、ユーザインタフェースコネクタ１４、入力手段１４ａ、マイクロプロセッサ１６、変調／復調回路１８、電源２０、変圧器２２、ブロッキングインダクタ２４、及びブロッキングキャパシタ２６を含んでいる。コントローラ４は、バス１０に接続されている。
【００３４】
コントローラ４は、照明デバイス２の中心部分であることができる。図４に示すように、システム４２内に１つより多くの照明デバイス２が使用されている場合には、１つのコントローラ４をマスターとして動作させ、他の全てのコントローラ４をスレーブとして動作させることができる。マスター及びスレーブ機能の設定は自動的に行うことも、またはユーザが定義することもできる。制御情報を交換するために、コントローラ４はシステム４２内で相互接続することができる。これは、有線または無線接続を介して行うことができる。
【００３５】
コントローラ４のマスター及びスレーブ構成が設定されると、コントローラ４は対応する照明デバイス２内のモジュール６を制御するように動作する。モジュール６を制御するためにマイクロプロセッサ１６が設けられている。これは、簡単なマイクロプロセッサ、デジタル信号プロセッサ、マイクロコントローラ、または特定用途向け集積回路または他の何等かのＩＣであることができる。マイクロプロセッサ１６は、ユーザインタフェースコネクタ１４とモジュール６との間の通信を制御する。入力手段１４ａを通して受けるユーザ入力に応じて、マイクロプロセッサ１６は制御情報を生成し、その制御情報をバス１０上に送り出すことによってモジュール６を制御する。マイクロプロセッサ１６は、制御情報内にアドレス情報及び動作情報を含める。これは、変調／復調回路１８を使用して行うことができる。バス１０上へ送り出す、及びバス１０から受けるデータは変調／復調回路１８において変調及び復調され、バス１０上に印加される。直流、低周波信号が変調／復調回路１８内に進入するのを防ぐために、バス１０上の信号の直流成分を阻止するブロッキングキャパシタ２６が設けられている。
【００３６】
駆動電力は、電力コネクタ１２を通して入力される。変圧器２２は、入力電力を、バス１０上に印加される適当な信号に変換する。電源２０は、変換された電力信号を、ブロッキングインダクタ２４を通してバス１０上へ入力する。ブロッキングインダクタ２４は、高周波制御情報が電源２０内に結合されるのを防ぐ。
【００３７】
バス１０上に供給される電力、及びバス１０上に供給される制御情報は、バス１０に結合されているモジュール６によって受けられる。図３に、モジュール６の詳細を示す。図３に、バス１０に結合され、光源８を駆動するモジュール６を示す。モジュール６は、電力変換器２８、マイクロプロセッサ３０、駆動回路３２、フィードバック回路３６、変調／復調回路３８、ブロッキングキャパシタ４０、ブロッキングインダクタ４２、カラー感知センサー４４、及び温度感知センサー４６を含む。
【００３８】
バス１０から受けた電力は、ブロッキングインダクタ４２を通して電力変換器２８に供給される。直流、低周波成分だけが電力変換器２８に印加され、高周波信号成分はブロッキングインダクタ４２によって濾波される。電力変換器２８は、受けた電力を、駆動回路３２及び光源８を駆動するのに適する電力に変換する。バス１０から受けた制御情報は変調／復調回路３８に印加されるが、電力信号のような直流、低周波成分はブロッキングキャパシタ４０によって濾波される。受けた制御情報に応じて、変調／復調回路３８はマイクロプロセッサ３０に駆動回路３２を動作させるように命令する。
【００３９】
制御情報内に含まれるアドレス情報によって、モジュール６を個々にアドレス指定することができる。アドレス情報は変調／復調回路３８において復調され、マイクロプロセッサ３０はその動作情報がそのモジュール６に宛てられたものか否かを認識する。またモジュール６は、アドレス情報を使用して光源８のパラメータに関するデータをバス１０上にフィードバックすることができる。このデータも変調／復調回路３８において変調され、バス１０上に供給される。
【００４０】
例えば、制御情報を図示モジュール６にアドレスし、動作情報によって光源８の照明ステータスを変化させることができる。この情報は、変調／復調回路３８に印加され、マイクロプロセッサ３０に供給される。マイクロプロセッサ３０は、駆動回路３２に命令して光源８の光出力を（それぞれの動作情報に応じて）増減させる。次いで、光源８は、受けた動作情報に従って、その光出力を変化させるように変更された電流で駆動される。
【００４１】
モジュール６は更に、光源８のステータスに関する情報をバス１０上にフィードバックすることができる。シャントトランジスタ抵抗３４は、光源８を通る電流を測定することができる。更に、明度、カラー、寿命、または温度、または光源８に関する他の情報を評価し、フィードバック回路３６に供給することができる。従って、例えばカラー感知センサー４４及び／または温度感知センサー４６等のような有用なデバイスを使用することができる。測定された値はマイクロプロセッサ３０のために処理され、マイクロプロセッサ３０は変調／復調回路３８に命令して関連する情報をバス１０上に送り出させる。この情報は、定期的に、またはコントローラ４からの要求に応じて送ることができる。
【００４２】
動作情報は、光源８の要求されたカラー座標、並びに要求された明度に関する情報を含むことができる。この情報を用いて各モジュール６は、要求されたカラー座標内に留まり且つ要求された明度を有するようにするために、光源８の駆動電流を独立的に調整することができる。明滅効果の増加、または明度のコンスタントな増減、または光源８のカラーの変化のような特別な効果も、コントローラ４がバス１０から連続的に情報を入手することなく、モジュール６自体によって独立的に制御することができる。更に、所与の設定点の一貫性も、実現されたセンサーのフィードバック信号によって、プロセッサを介して独立的に制御することができる。モジュール６のこの内部知能によって、コントローラ４に対する要求を減少させることができ、またコントローラ４を簡易化することができる。モジュール６の要求された動作に関する情報はバス１０上に１回伝送することができ、モジュール６はその関連する光源８のさらなる評価及び制御のための制御を引き受ける。例えば、内部タイマー、内部センサー、及び内部ロジックが、要望に従って光源８を制御することができる。その後の光源８の動作は、バス１０から異なる動作情報を受けた場合に限って変化させることができる。
【００４３】
モジュール６は、集積回路によって構成することができ、これにより、モジュール６を光源８に空間的に近接させて配置し、配線及び空間消費を減少させることができる。また、モジュール６を、例えば光源８内に統合することが可能であり、光源８及びモジュール６の両者を同一基体上の集積回路上に集積することも可能である。電力変換器２８は、大電力光源が動作していて熱が問題になり得る場合には、基体から分離することができる。
【００４４】
図４に示すような照明デバイス２の配列は、大面積照明アセンブリの構築を可能にする。これは、図１に示したコントローラ４、モジュール６、光源８、及びバス１０を各々が含む複数の照明デバイス２ａ−２ｃを含むことができる。コントローラ４の１つがマスターとして動作し、他のコントローラ４はスレーブとして動作する。
【００４５】
各モジュール６は、バス１０に取り外し可能に接続される。モジュール６の光源８が誤動作する場合には、モジュールを容易に交換することができる。普通の２ピンコネクタを使用してバス１０がモジュール６に接続されている場合には、交換は特に容易である。
【００４６】
実施の形態による照明デバイス２は、複数の光源から光源を個々に制御し、従って、大面積照明アセンブリ内に照明効果を実現させることができる。各光源８を個々にアドレス指定することによっていろいろな効果を得ることができ、また独立的に制御することができる。配線構造は簡単であり、モジュール６は中央コントローラ４の管理の下に動作する。これは、配線コスト及び保守要求を減少させる。
【００４７】
以上に、添付図面を参照して本発明を詳細に説明したが、この説明は単なる例示に過ぎず本発明を何等制約するものではなく、また本発明は開示した実施の形態に限定されるものでもない。
【００４８】
当業者ならば、添付図面、以上の説明、並びに特許請求の範囲から開示した実施の形態の他の変形が理解され、実行することが可能であろう。特許請求の範囲において、“を含む”という語は、他の要素またはステップを排除するものではなく、“１つの”等という不定冠詞は複数を排除するものではない。請求項に記載されている幾つかのアイテムの機能は、単一のプロセッサまたは他のユニットに遂行させることができる。ある手段が互いに異なる従属請求項に記載されているという事実は、これらの手段の組合せを有利に使用できないことを表すものではない。コンピュータプログラムは、他のハードウェアと共に、または他のハードウェアの一部として供給される光学格納媒体またはソリッドステート媒体のような適当な媒体上に格納／分散させることができるが、インターネットまたは他の有線または無線通信システムを介してのような他の形状で分散させることもできる。請求項中のどの参照符号も、範囲を限定する意図がないことを理解されたい。
【図面の簡単な説明】
【００４９】
【図１】実施の形態による照明デバイスの概要図である。
【図２】実施の形態によるコントローラの概要図である。
【図３】実施の形態によるモジュールの概要図である。
【図４】各々が図１によるディスプレイデバイスを含む複数のタイルを有する大面積照明アセンブリの概要図である。
【符号の説明】
【００５０】
２，２ａ−２ｃ  照明デバイス
４  コントローラ
６  モジュール
８  光源
１０  電気接続（バス）
１２  電力コネクタ
１４  ユーザインタフェースコネクタ
１４ａ  入力手段
１６  マイクロプロセッサ
１８  変調／復調回路
２０  電源
２２  変圧器
２４  ブロッキングインダクタ
２６  ブロッキングキャパシタ
２８  電力変換器
３０  マイクロプロセッサ
３２  駆動回路
３４  シャントトランジスタ抵抗
３６  フィードバック回路
３８  変調／復調回路
４０  ブロッキングキャパシタ
４２  ブロッキングインダクタ
４２  システム
４４  カラー感知センサー
４６  温度感知センサー
【図１】
2009543279.tif 000003
【図２】
2009543279.tif 000004
【図３】
2009543279.tif 000005
【図４】
2009543279.tif 000006
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
少なくとも１つの光源を有する少なくとも１つのモジュールを制御する少なくとも１つのコントローラと、
上記コントローラと上記モジュールとの間の電気接続と、を含み、
上記電気接続が、上記コントローラと上記モジュールとの間で電力供給及び制御情報の両者を伝送する、照明デバイスであって、
上記コントローラは、複数の照明デバイスのアレイ内においてマスターコントローラまたはスレーブコントローラの何れかに適合可能であることを特徴とする照明デバイス。
【請求項２】
上記電気接続はバスであることを特徴とする請求項１に記載の照明デバイス。
【請求項３】
上記モジュールの少なくとも２つが、上記電気接続に並列に接続されていることを特徴とする請求項１に記載の照明デバイス。
【請求項４】
上記電気接続は、制御情報を、上記コントローラから上記モジュールへ、及びその逆に転送するように双方向性であることを特徴とする請求項１に記載の照明デバイス。
【請求項５】
上記制御情報は、高周波信号内に供給され、
Ａ）周波数変調、
Ｂ）振幅変調、
Ｃ）位相変調、
Ｄ）パルス変調、
Ｅ）負荷変調、
Ｆ）デジタル変調、
またはこれらの何れかの組合せ、
の少なくとも１つを用いて変調されていることを特徴とする請求項１に記載の照明デバイス。
【請求項６】
上記モジュールは、正確に１つの光源を備えていることを特徴とする請求項１に記載の照明デバイス。
【請求項７】
上記光源は、
Ａ）発光ダイオード、
Ｂ）有機発光ダイオード、
Ｃ）薄膜トランジスタ、
の少なくとも１つであることを特徴とする請求項１に記載の照明デバイス。
【請求項８】
上記モジュールは、上記電気接続上の上記電力供給を上記光源に適した信号に変換する変換器を含むことを特徴とする請求項１に記載の照明デバイス。
【請求項９】
請求項１に記載の照明デバイスを少なくとも２つ含む照明システムであって、１つの中央デバイスが、少なくとも１つの他のコントローラを制御するためのマスターコントローラとして構成されていることを特徴とする照明システム。
【請求項１０】
請求項９に記載の照明システムを有することを特徴とする大面積照明タイル。
【請求項１１】
請求項１に記載の照明デバイスを制御する方法であって、
少なくとも１つのコントローラから少なくとも１つのモジュールへ、上記少なくとも１つのコントローラと上記少なくとも１つのモジュールとの間の１つの共通電気接続を使用して、制御情報及び電力供給を供給するステップと、
上記制御情報に従って少なくとも１つの光源を駆動するステップと、
を含むことを特徴とする方法。
【請求項１２】
上記共通電気接続上で上記制御情報を双方向に供給するステップを更に含むことを特徴とする請求項１１に記載の方法。
【請求項１３】
上記制御情報内に、上記モジュールのためのアドレス指定情報及び動作情報を含めるステップを更に含むことを特徴とする請求項１１に記載の方法。
【請求項１４】
情報キャリヤ内に明白に実現されているコンピュータプログラムプロダクトであって、
上記コンピュータプログラムプロダクトは命令を含み、上記命令は、実行された時に少なくとも１つのプロセッサに、請求項１に記載の照明デバイスを制御する請求項１２に記載の方法を遂行させることを特徴とするコンピュータプログラムプロダクト。
【請求項１５】
コンピュータプログラムであって、
上記コンピュータプログラムは命令を含み、上記命令は、実行された時に少なくとも１つのプロセッサに、請求項１に記載の照明デバイスを制御する請求項１２に記載の方法を遂行させることを特徴とするコンピュータプログラム。
【手続補正２】
【補正対象書類名】明細書
【補正対象項目名】０００６
【補正方法】変更
【補正の内容】
【０００６】
従って、大面積照明を作成できる配線要求を少なくさせた照明デバイスが得られれば有利であろう。
【手続補正３】
【補正対象書類名】明細書
【補正対象項目名】０００７
【補正方法】変更
【補正の内容】
【０００７】
配線要求が少ない照明デバイスを提供するために、本発明の適用の第１の面では、少なくとも１つの光源を有する少なくとも１つのモジュールを制御する少なくとも１つのコントローラと、コントローラとモジュールとの間の電気接続と、を含むイメージ照明デバイスが提供され、電気接続は、上記コントローラと上記モジュールとの間で電力及び制御情報を伝送する。単一の電気接続内に電力及び制御の両方を供給することによって配線要求が減少し、従って照明デバイスのコスト及び複雑さが減少する。
照明デバイスに拡張縮小性を与えるために、即ち、大面積照明アセンブリ（即ち、照明デバイスからなる複数の照明タイルを有する）内の照明デバイスの数を増加させるために、実施の形態ではコントローラは、マスターコントローラ、またはスレーブコントローラの何れかに適合可能なコントローラである。照明デバイス内のコントローラは、大面積照明アセンブリの一部であることができる。システム内に１つより多くの照明タイルが使用されている場合には、即ち、室、建物、自動車内の光壁等のような大面積アセンブリを構築する場合には、複数のコントローラの中でマスターコントローラとして動作する１つが、スレーブコントローラとして動作する他のコントローラの制御に取って代わることができる。従って、マスターコントローラが照明アセンブリを制御することができる。
照明タイル内では、複数のＬＥＤはモジュールに接続されており、２線式バスを使用して相互接続することができる。このバスは、モジュール（従って、光源）を駆動するための電力並びに制御情報の両者を伝送することができる。このバスは、配線要求を減少させ、中央コントローラを通して種々の照明効果を可能にする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【国際調査報告】
2009543279.tif 000007
2009543279.tif 000008